(57)【特許請求の範囲】
【請求項１】
データベース（１）と、通信回線を介してデータベース（１）との間にデータを交換する複数のアクセスポイント（２）と、公衆電話回線（３）を介して予め指定されたアクセスポイント（２）に接続され所望の情報の提供を受ける複数の端末装置（４）とから成る情報配信システムにおいて、
アクセスポイント（２）には、
リクエストを受けた端末装置（４）の電話番号を識別する電話番号識別回路（２１０）と、
各アクセスポイント（２）ごとの管轄電話局番リストを記録するメモリ（２１２）と、
電話番号識別回路（２１０）が識別した端末装置（４）の電話局番が所轄の電話局の番号と相違するときは、メモリ（２１２）に記録された管轄電話局番リストを参照し、最適のアクセスポイント（４）を選定し、その電話番号を端末装置（４）に出力する番号記録書替装置（２１１）とを設け、
端末装置（４）には、
自己の電話番号を記憶する電話番号記憶回路（４１）と、
予め定められたアクセスポイント（４）の電話番号を記録し、リクエスト時に指令信号に応動してその電話番号を自動的にダイヤリングすると共に、アクセスポイント（４）から新たなアクセスポイントの電話番号を受信したとき、記録されているアクセスポイント（４）の電話番号をその新たなアクセスポイントのものに書き替えるダイヤリング回路（４２）とを設けたアクセスポイント電話番号自動通知回路を具備した上記の情報配信システム。
【発明の詳細な説明】
【０００１】
【産業上の利用分野】
本発明は、データベースに接続された複数のアクセスポイントから公衆通信回線を介して各種情報を配信する情報配信システムにおいて、各端末装置に記録されているアクセスポイントの電話番号が常時最適のアクセスポイントのものに自動的に書き替えられる情報配信システムに関する。
【０００２】
【従来の技術】
一般的に全国的規模で情報を配信するデータベースには複数のアクセスポイントが設けられており、各アクセスポイントにはそれぞれ少なくとも一つの電話局番が割り当てられ、各端末装置には、それぞれの端末装置の設置地域を管轄するアクセスポイントの電話番号が予め記録されており、情報をリクエストするために必要な操作を行うと、自動的にその電話番号がダイヤルされ、端末装置が予め定められたアクセスポイントと繋がるようになっていて、各加入端末装置はそれぞれ予め割り当てられたアクセスポイントに情報のリクエストを行い、これらのアクセスポイントを通じて所望の情報を入手し、利用するものである。
【０００３】
この各端末装置に記録されているアクセスポイントの電話番号は、通信費の無駄を省くため、利用者の引越や端末装置の移設、アクセスポイントの増設、変更などにより、それぞれの端末装置の最適のアクセスポイントの電話番号が変わったときに書き替えなければならない。
しかしながら、従来、アクセスポイントの電話番号の入力は人手に頼っていたため、書き替えのし忘れや、入力ミスといった問題が生じていた。
また、書き替え作業を行わないと、遠くのアクセスポイントを呼び出してデータベースを利用することになるため、通信費が嵩むという問題がある。
【０００４】
【発明が解決しようとする課題】
本発明は上記の問題を解決するためなされたものであり、その目的とするところは、端末装置に記録されているアクセスポイントの電話番号を常時最適のものに自動的に書き替え得るアクセスポイント電話番号自動通知回路を具備した情報提供システムを提供することにある。
【０００５】
【課題を解決するための手段】
上記の目的は、
データベースと、通信回線を介してデータベースとの間にデータを交換する複数のアクセスポイントと、公衆電話回線を介して予め指定されたアクセスポイントに接続され所望の情報の提供を受ける複数の端末装置とから成る情報配信システムにおいて、
アクセスポイントには、
リクエストを受けた端末装置の電話番号を識別する電話番号識別回路と、
各アクセスポイントごとの管轄電話局番リストを記録するメモリと、
電話番号識別回路が識別した端末装置電話局番が所轄の電話局の番号と相違するときは、メモリに記録された管轄電話局番リストを参照し、最適のアクセスポイントを選定し、その電話番号を端末装置に出力する番号記録書替装置とを設け、
端末装置には、
自己の電話番号を記憶する電話番号記憶回路と、
予め定められたアクセスポイントの電話番号を記録し、リクエスト時に指令信号に応動してその電話番号を自動的にダイヤリングすると共に、アクセスポイントから新たなアクセスポイントの電話番号を受信したとき、記録されているアクセスポイントの電話番号をその新たな端末装置のものに書き替えるダイヤリング回路とを設けたアクセスポイント電話番号自動通知回路を具備した上記の情報配信システムにより達成される。
【０００６】
【作用】
上記の如き構成であると、端末装置に記録されているアクセスポイントの電話番号が最適のアクセスポイントのものでないときは、自動的にその電話番号が書き替えられるものである。
【０００７】
【発明を実施するための最良の態様】
以下、図面により本発明の詳細を説明する。
図１は本発明に係るアクセスポイント電話番号自動通知回路を具備した情報配信システムのネットワーク構造を示すブロック図である。
図中、１はデータベース、２はデータベース１と専用回線を介して接続されたアクセスポイント、３は公衆電話回線、４は公衆電話回線３に接続される端末装置である。
【０００８】
なお、アクセスポイント２は図中では一台しか示さなかったが、データベース１には所定地域ごとにアクセスポイント２と同様のアクセスポイントが一台ずつ接続されているものである。
また、図中では、端末装置４は一台しか示さなかったが、アクセスポイント２にはそれぞれ各家庭等に設置された端末装置が多数接続されるものであり、さらに、この端末装置４は、図示しないコントローラ、ディスプレイ及びスピーカ等のリクエスト操作やリクエスト情報の利用に必要な各種装置を具備するものである。
【０００９】
アクセスポイント２は、データベース１から供給された大量のデータを保有しており、端末装置４のリクエストに応じて端末装置４に向けて所定の情報を出力するものである。
而して、アクセスポイント２は、中央処理装置２０と、中央処理装置２０に接続されたアクセスポイント電話番号自動通知回路２１、データメモリ２２と、中央処理装置２０と公衆電話回線３とを接続するモデム２３とを有する。
【００１０】
データメモリ２２には、データベース１から供給された大量のデータが記録されるものである。アクセスポイント電話番号自動通知回路２１は、中央処理装置２０に接続される電話番号識別回路２１０と、電話番号識別回路２１０に接続される番号記録書替装置２１１と、番号記録書替装置２１１に接続されるメモリ２１２とから成る。
【００１１】
電話番号識別回路２１０は、リクエストを受けた端末装置４の電話番号を解析し、その局番がアクセスポイント２が管轄する範囲のものか否かを判断し、それが所轄のものである場合、中央処理装置２０にダウンロード開始信号を発信するものであり、その信号を受けた中央処理装置２０は、データメモリ２２からリクエスト情報に応じた情報を呼び出し、それをモデム２３及び公衆電話回線３を介して端末装置４に出力するものである。
【００１２】
一方、端末装置４が所轄外のものである場合には、その端末装置４の電話番号のデータを番号記録書替装置２１１に送出する。
メモリ２１２には、各アクセスポイントの電話番号及びそれぞれのアクセスポイントが管轄する電話局番のリストが記録されており、番号記録書替装置２１１は、電話番号識別回路２１０から電話番号のデータを受けたときにメモリ２１２の記録からその端末装置の電話局番を管轄するアクセスポイントを選定し、そのアクセスポイントの電話番号を中央処理装置２０、モデム２３及び公衆電話回線３を介して端末装置４に送出するものである。
【００１３】
端末装置４は、中央処理装置４０と、中央処理装置４０に接続された電話番号記憶回路４１、ダイヤリング回路４２と、公衆電話回線３と中央処理装置４０とを接続するモデム４３とを具備する。
電話番号記憶回路４１は、当該端末装置４の電話番号を記憶しており、リクエスト時に中央処理装置４０にその電話番号を出力するものである。
【００１４】
ダイヤリング回路４２は、リクエスト操作に伴って発せられる指令信号に応動して、予め記録されているアクセスポイント２の電話番号を中央処理装置４０に出力し、中央処理装置４０を介して自動的にダイヤリングしてアクセスポイント２を呼び出すと共に、アクセスポイント２から新たなアクセスポイントの電話番号が送出された場合に、ダイヤリング回路４２に記録されているアクセスポイント２の電話番号は、送出されてきた電話番号に直ちに書き替えられる。
【００１５】
従って、このアクセスポイント電話番号自動通知回路を具備した情報配信システムにおいては、特定の電話局を管轄するアクセスポイントが、その管轄外の電話局番の端末装置から呼び出されると、その端末装置に記録されている元のアクセスポイントの電話番号が最適なアクセスポイントの電話番号に自動的に書き替えられるものである。
【００１６】
なお、上記のようにアクセスポイントの電話番号が書き換えられた場合、そのまま情報の提供を受けてもよいが、書き換えが行われた時点で端末装置からのリクエストデータの出力を停止し、新たなアクセスポイントを呼び出してから改めて情報の提供を受けるようにすることが推奨される。
また、本発明は叙上の実施例に限定されるものではなく、上記の説明から当業者が容易に想到し得る総ての変更実施例を包摂するものである。
【００１７】
【発明の効果】
本発明に係るアクセスポイント電話番号自動通知回路を具備した情報配信システムは叙上の如く構成されるので、本発明によるときは、端末装置の移動やアクセスポイントの増設などに伴って端末装置に対応する最適なアクセスポイントが変わると、端末装置に記録されている適当でないアクセスポイントの電話番号が最適なものに自動的に書き替えられ、通信費の無駄を省くことができるものである。
【図面の簡単な説明】
【図１】本発明に係るアクセスポイント電話番号自動通知回路を具備した情報配信システムのネットワーク構造を示すブロック図である。
【符号の説明】
１・・・・・・・データベース
２・・・・・・・アクセスポイント
２０・・・・・・中央処理装置
２１・・・・・・アクセスポイント電話番号自動通知回路
２１０・・・・・電話番号識別回路
２１１・・・・・番号記録書替装置
２１２・・・・・メモリ
２２・・・・・・データメモリ
２３・・・・・・モデム
３・・・・・・・公衆電話回線
４・・・・・・・端末装置
４０・・・・・・中央処理装置
４１・・・・・・電話番号記憶回路
４２・・・・・・ダイヤリング回路
４３・・・・・・モデム
【図１】
0003570763.tif 000002